(57)【特許請求の範囲】
【請求項１】
軒先の野地板の上面に当接する野地板当接部と、
前記野地板の下方に配され、外装材と直接又はコーキングを介して接続する外装材接続部と、外部に開放する外部側通気口と、小屋裏側に開放する小屋裏通気口と、を備えたケース状部材と、
前記ケース状部材内部に配され、風によって作動し前記外部側通気口から前記小屋裏通気口への通気路を塞ぐ開閉弁と、熱によって膨張する不燃性体積膨張部材を収容し得る収容部と、前記収容部の前記ケース状部材に形成された外部側通気口側に設けられた水返し片と、前記ケース状部材に形成された嵌合部と嵌合し得る被嵌合部と、を備えた開閉部材と、を有し、
前記開閉部材は、前記嵌合部と前記被嵌合部とを嵌合することにより、前記ケース状部材に取り付けられ、
前記野地板に、前記野地板当接部と前記ケース状部材とで挟入することにより取り付けられることを特徴とした換気部材。
【請求項２】
軒先の野地板の下方に配され、外装材と直接又はコーキングを介して接続する外装材接続部と、
前記外装材接続部から延設され、斜め上方に向かって外部に開放する外部側通気口を有する、外部側通気片と、
小屋裏側に開放する小屋裏通気口と、を備え、
前記野地板に取り付けられるケース状の換気部材であって、
前記換気部材内部に配され、前記外部側通気口に対向して設けられる水返し片を有し、
前記野地板に取り付けられ、前記外部側通気口を覆うように設けられた水切り材と、前記外部側通気片との間に、前記外部側通気口を介して、前記外気と前記小屋裏空間とを連通させる通気路が設けられたことを特徴とする換気部材。
【請求項３】
軒先の野地板の上面に当接する野地板当接部と、
前記野地板当接部に接続され、前記野地板の小口面に当接する野地板小口面当接部と、
前記野地板の下方に配され、外装材と直接又はコーキングを介して接続する外装材接続部と、外部に開放する外部側通気口と、小屋裏側に開放する小屋裏通気口と、を備えたケース状部材と、を有し、
前記野地板小口面当接部と前記野地板の小口面との間、または前記野地板とケース状部材との間に断熱材が設けられ、
前記野地板に、前記野地板当接部と前記ケース状部材とで挟入することにより取り付けられることを特徴とした換気部材。
【発明の詳細な説明】
【技術分野】
【０００１】
本発明は、軒先に構成されて小屋裏の換気を行う換気部材に関するものである。
【背景技術】
【０００２】
建物の軒天部分に換気部材を設置して屋外と小屋裏との換気を行うのが一般的である。しかし、軒天が構成できないような場合や納まりを単純化するために鼻隠し板をなくして外装材を広小舞まで直接立ち上げるような場合、或いは見栄掛かりとなる軒天部分を避けて小屋裏に換気するような場合には、軒先の広小舞付近に換気部材を設置した換気構造を構成することがある。
【０００３】
このような換気構造を実現するものとしてとして幾つかの技術が提案されている（例えば特許文献１〜３参照）。これらの技術は夫々の特徴を有しており、前述した各条件毎に適用したときに有用である。
【０００４】
特許文献１に記載された技術は、両側に換気孔を設けた底面を有する逆ハット型広小舞を、野地板の先端部分に取り付けることによって、鼻隠し板の屋外側と屋内側に夫々換気孔を配置して空気通路を構成したものである。
【０００５】
特許文献２に記載された技術は、広小舞まで直接外装材を立ち上げ、この外装材から軒先先端部に跨って勾配屋根に連続した水切りのための防水性を有する通気路を形成し、該通気路の一方の通気口を外装材の外部側に下向きに開口させると共に他方の通気口を小屋裏側に開口させて構成したものである。
【０００６】
特許文献３に記載された技術は、吸気用開口部を有する換気装置本体を軒先部に取り付け、この換気装置本体の内部には吸気用開口部から屋根裏空間に連続する通気路が形成されており、該通気路の一部に閉塞部材が搖動可能に配置されたものである。そして、閉塞部材が搖動して換気装置本体に設けた突起部分（水返し部）と接触することで通気路を閉塞し得るように構成されている。
【先行技術文献】
【特許文献】
【０００７】
【特許文献１】特開２００１−３４９０２３号公報（特許第４３６３６０８号）
【特許文献２】特開２００８−１５０９０４号公報
【特許文献３】特開２００８−３０４１４０号公報
【発明の概要】
【発明が解決しようとする課題】
【０００８】
しかし、上記各技術であってもまだ完全なものではなく、例えば、特許文献１に記載された技術では、雨水の吹き込みに対する不安や軒先部分の野地板が省かれているため、屋根葺き材の固定が不安定になる虞がある。
【０００９】
また、特許文献２に記載された技術では、通気部材を設置するための専用下地材を別途用意する必要があり、納まりも複雑になるため、通気部材の設置作業が煩雑である。
【００１０】
また、特許文献３に記載された技術では、換気装置は壁面に対し平行に設置されるので、様々な勾配を持った屋根に対し一種類の部材で対応することが困難であり、屋根勾配毎に部材を準備することが必要となる。
【００１１】
本発明の目的は、防水性、防火性に優れ、納まりが容易で簡単に設置することができ、且つ製作が容易な換気部材を提供することにある。
【課題を解決するための手段】
【００１２】
上記課題を解決するために本発明に係る換気部材は、軒先の野地板の上面に当接する野地板当接部と、前記野地板の下方に配され、外装材と直接又はコーキングを介して接続する外装材接続部と、外部に開放する外部側通気口と、小屋裏側に開放する小屋裏通気口と、を備えたケース状部材と、前記ケース状部材内部に配され、風によって作動し前記外部側通気口から前記小屋裏通気口への通気路を塞ぐ開閉弁と、熱によって膨張する不燃性体積膨張部材を収容し得る収容部と、前記収容部の前記ケース状部材に形成された外部側通気口側に設けられた水返し片と、前記ケース状部材に形成された嵌合部と嵌合し得る被嵌合部と、を備えた開閉部材と、を有し、前記開閉部材は、前記嵌合部と前記被嵌合部とを嵌合することにより、前記ケース状部材に取り付けられ、前記野地板に、前記野地板当接部と前記ケース状部材とで挟入することにより取り付けられるものである。
【００１３】
また、本発明に係る他の換気部材は、軒先の野地板の下方に配され、外装材と直接又はコーキングを介して接続する外装材接続部と、前記外装材接続部から延設され、斜め上方に向かって外部に開放する外部側通気口を有する、外部側通気片と、小屋裏側に開放する小屋裏通気口と、を備え、前記野地板に取り付けられるケース状の換気部材であって、前記換気部材内部に配され、前記外部側通気口に対向して設けられる水返し片を有し、前記野地板に取り付けられ、前記外部側通気口を覆うように設けられた水切り材と、前記外部側通気片との間に、前記外部側通気口を介して、前記外気と前記小屋裏空間とを連通させる通気路が設けられたものである。
【００１４】
また、本発明に係る他の換気部材は、軒先の野地板の上面に当接する野地板当接部と、前記野地板当接部に接続され、前記野地板の小口面に当接する野地板小口面当接部と、前記野地板の下方に配され、外装材と直接又はコーキングを介して接続する外装材接続部と、外部に開放する外部側通気口と、小屋裏側に開放する小屋裏通気口と、を備えたケース状部材と、を有し、前記野地板小口面当接部と前記野地板の小口面との間、または前記野地板とケース状部材との間に断熱材が設けられ、前記野地板に、前記野地板当接部と前記ケース状部材とで挟入することにより取り付けられるものである。
【発明の効果】
【００１５】
本発明に係る換気部材は、ケース状部材と開閉部材との二つの部材を組み合わせて構成される。即ち、収容部に予め不燃性体積膨張材を収容した開閉部材をケース状部材に一体化させることで換気部材を構成することができるので製作が容易である。
【００１６】
また、換気部材を軒先の野地板先端部分に取り付けることができるため、専用の下地を構成する必要がなく、簡単に設置することができる。このため、屋根葺き材の固定が不安定になることがない。特に、換気部材をケース状部材と野地板当接片とで野地板を挟み込むことで取り付けることができるので、施工時に安定した状態で作業することができる。
【００１７】
また、ケース状部材の野地板当接片と外装材当接片が略平行に形成されているので、屋根の勾配に影響されることなく軒先に取り付けることができる。このため、一つのケース状部材と一つの開閉部材とによって異なる勾配を持つ屋根に対応することができ、部品点数が増大する虞がない。
【００１８】
また、野地板小口面当接部と野地板の小口面との間、または野地板とケース状部材との間に断熱材が設けられることで、換気部材に対し外部から熱が加えられたとしても、この熱が直ちに野地板に伝えられることがない。
【図面の簡単な説明】
【００１９】
【図１】軒先の野地板に取り付けた換気部材の構成を説明する断面図である。
【図２】換気部材の構成を説明する斜視図である。
【図３】換気部材を構成するケース状部材と開閉部材の構成を説明する図である。
【発明を実施するための形態】
【００２０】
図１に示すように、本発明に係る換気部材Ａは、軒先の野地板１に取り付けられると共に、外壁材や鼻隠し板等の外装材２の上端部分に対しコーキング３を介して当接し、或いは直接当接することで、野地板１の下面と外装材２の上端部分の間に通気路４を構成している。そして、この通気路４を介して小屋裏５と屋外とを通気することで、小屋裏５の換気をはかることが可能なように構成されている。
【００２１】
小屋裏換気は目的の建物に於ける小屋裏の換気を行うのに充分な換気面積を確保することで実現可能である。このため、目的の建物に設定される換気面積を満足し得る換気部材Ａの外部通気口（１３ａ）、小屋裏通気口（１４）の面積（換気部材Ａの数量）が設定されると共に、野地板１に対する取付位置が設定される。
【００２２】
そして、換気部材Ａを取り付ける位置に配置された外装材２は、上端部分が換気部材Ａに当接する高さまで立ち上げられる。また、換気部材Ａを取り付けることのない位置に配置された外装材２は、上端部分が野地板１まで立ち上げられる。このように、換気部材Ａを取り付ける位置、取り付けることのない位置に配置された外装材２は、単に上端部分の立上限を調整するのみで対応し得るため、取合が容易となるという効果を派生する。
【００２３】
換気部材Ａを取り付けた軒先の野地板１には水切材６が取り付けられている。水切材６は固定片６ａと遮蔽片６ｂとからなるく字状に形成されており、該水切材６の遮蔽片６ｂを突出させた状態で、固定片６ａが釘や木ねじ等の固定具９によって野地板１に固定されている。そして、遮蔽片６ｂを換気部材Ａの前方に配置することによって、雨水が直接換気部材Ａに降り注ぐことを防ぐように構成されている。
【００２４】
水切材６を固定した野地板１の上部には屋根材７が葺かれており、該屋根材７の末端下部に対応する部位に樋８が設けられている。従って、雨天の際に屋根材７に降った雨水は屋根材７の末端から落下し、水切材６の遮蔽片６ｂを伝って樋８に落下する。また、軒先に斜めに降り込んだ雨水は直接樋８に落下し、或いは水切材６の遮蔽片６ｂに降りかかった後、該遮蔽片６ｂを伝って樋８に落下する。
【００２５】
次に、本実施例に係る換気部材Ａの構成について説明する。本実施例に係る換気装置Ａは、金属板によって形成されたケース状部材１０と、合成樹脂の成型材によって形成された開閉部材２０と、を組み合わせることで構成されている。
【００２６】
ケース状部材１０は金属板を折曲成形した部材として構成されており、予め設定された長さ（例えば、建物に設定されたモジュール寸法に対応させた寸法）を有している。金属板の材質として特に限定するものではないが、加工性に優れ且つ耐火性に優れたものであることが好ましい。このような材質として、鋼板やステンレス鋼板等があり、何れも好ましく採用することが可能である。しかし、ケース状部材１０を金属板によって形成することに限定するものではなく、合成樹脂を材料として折曲成形や押出成型してケース状部材１０を形成しても良い。
【００２７】
ケース状部材１０は、軒先の野地板１の上面に当接する野地板当接部となる野地板当接片１１と、野地板当接片１１と略平行に配され外装部材２の上端部が当接する外装材当接部となる外装材当接片１２、外部に開放する外部側通気口１３ａが形成された外部側通気片１３と、開閉部材２０と共に小屋裏５側に開放する小屋裏通気口１４と、を有して構成されている。
【００２８】
尚、以下の説明に於いて、「当接」（当接部、当接片）と表現している部分があるが、この当接とは必ずしも対象となる物体に対して直接当接していることに限定するものではなく、対象となる物体との間に他の物体が介在するものも含んでいるものとする。
【００２９】
野地板当接片１１は、軒先の野地板１の上面に当接すると共に水切材６の固定片６ａの下面側に配置される。野地板当接片１１は水切材６の固定片６ａよりも短く、固定片６ａを固定具９によって固定する際に該固定具９よりも軒先側にあるように形成されている。
【００３０】
野地板当接片１１に連続して該野地板当接片１１に対し略直角に折り曲げられた野地板小口面当接部となる小口当接片１５が形成されている。この小口当接片１５は、直接野地板１の小口面に当接するものではなく、後述する開閉部材２０に形成された当接部２４の起立片２４ａ及び断熱材３０を介して当接している。
【００３１】
本実施例に於いて、小口当接片１５は換気部材Ａを野地板１に取り付ける際に、固定具９によって該野地板１の小口面に固定されるものである。このため、小口当接片１５は、野地板１の厚さに、後述する開閉部材２０に形成された被嵌合部２３の野地板１の下面からの寸法を加えた寸法を有している。また、固定具９による固定を行う際の下穴１５ａが形成されている。
【００３２】
しかし、換気部材Ａを軒先の野地板１に取り付ける際に、上記したように小口当接片１５を利用して固定具９によって野地板１の小口面に取り付けることに限定するものではなく、野地板当接片１１を利用して固定しても良いことは当然である。
【００３３】
小口当接片１５と連続して嵌合部１６が形成されている。この嵌合部１６は、小口当接片１５の端部から野地板当接片１１の下側に向けて直角に折り曲げられた屈折片１６ａと、開閉部材２０に形成された被嵌合部２３の嵌合凹部２３ｂに対応する部分に形成された嵌合突部１６ｂと、該嵌合突部１６ｂで元の方向に折り返された折返片１６ｃと、を有して形成されている。嵌合突部１６ｂは、屈折片１６ａと折返片１６ｃとが曲面状に折り返されて形成されている。そして、小口当接片１５から嵌合突部１６ｂまでの長さは、開閉部材２０に形成された被嵌合部２３の起立片２４ａからの寸法と略等しく形成されている。
【００３４】
嵌合部１６を構成する折返片１６ｃの端部から前方（図１〜３に於ける左側）であって下方に向けて斜め方向に外部側通気片１３が形成されている。この外部側通気片１３には外部側通気口１３ａが一定の間隔を持って複数形成されている。この外部側通気口１３ａの寸法は特に限定するものではなく、ケース状部材１０を構成する金属板の材質や厚さ等の条件に応じて適宜設定することが好ましい。
【００３５】
特に、外部側通気片１３の長さや傾斜角度は特に限定するものではない。しかし、外部通気片１３は軒先から外部側に突出して配置されることとなり、この突出長さが大きくなると、水切材６の寸法や樋８の位置等に影響を与えることとなる。このため、外部側通気片１３の長さや傾斜角度は、建物に於ける周囲の条件に応じて適宜設定することが好ましい。
【００３６】
外装材当接片１２は外部側通気片１３と連続して形成されていても良いが、本実施例では、外部側通気片１３と外装材当接片１２との間に連結片１７が形成されている。即ち、外部側通気片１３に連続して野地板当接片１１に対し略直角となるような角度で折り曲げられた連結片１７が形成されており、この連結片１７に連続して外装材当接片１２が形成されている。
【００３７】
また、外装材当接片１２には、図２に示すように、水抜き用の穴１２ａが形成されており、外部側通気口１３ａから吹き込んだ雨水や、結露により溜まった水を樋８に落下させることが可能なように構成されている。
【００３８】
外装材当接片１２は、後方（図１〜３の右側）側の端部が小屋裏５に到達し得る長さを持って形成されている。また、外装材当接片１２の後方側端部から略直角に野地板１の下面方向に向けて起立片１８ａが形成されており、該起立片１８ａの先端には前方に向けて略直角に折り曲げられた弁座片１８ｂが形成されている。
【００３９】
開閉部材２０は合成樹脂の押出成形材として形成されており、ケース状部材１０と同様に建物に設定されたモジュール寸法に対応する寸法を有している。この開閉部材２０は、前述したケース状部材１０の内部に配置されると共に一体化されて換気部材Ａを構成するものである。
【００４０】
開閉部材２０を構成する合成樹脂の材質は特に限定するものではなく、耐久性、耐候性に優れたものであることが好ましい。しかし、開閉部材２０を合成樹脂によって形成することに限定するものではなく、アルミニウムを代表とする金属を押出成型して形成することも可能である。
【００４１】
開閉部材２０は、ケース状部材１０の内部に配置され、風によって作動して外部側通気口１３ａから小屋裏通気口１４への通気路４を塞ぐ開閉弁２１と、ケース状部材１０の内部に配置され、熱によって膨張する不燃性体積膨張部材３１を収容し得る収容部２２と、ケース状部材に形成された嵌合部１６と嵌合し得る被嵌合部２３と、を有して構成されている。
【００４２】
また、開閉部材２０はケース状部材１０に組み込まれて換気部材Ａを構成した後、該換気部材Ａを軒先の野地板１に取り付ける際に、断熱材３０を介して野地板１の小口面及び下面に当接し得るように構成されている。このため、開閉部材２０はＬ字型の当接部２４を有しており、該当接部２４の起立片２４ａが野地板１の小口面に、水平片２４ｂが野地板１の下面に当接し得るように構成されている。そして、ケース状部材１０の小口当接片１５、嵌合部１６の屈折片１６ａは、夫々開閉部材２０の当接部２４を介して野地板１に当接している。
【００４３】
開閉弁２１は、当接部２４の水平片２４ｂの後方側所定位置から垂下して形成されている。この開閉弁２１は弁体２１ａと、可撓性を持った搖動片２１ｂと、を有して構成されており、換気部材Ａに形成された通気路４を流通する空気の流れ（風）に応じて搖動し得るように構成されている。このため、弁体２１ａは適度な重量を有する振り子としての機能を発揮し得るように形成されており、搖動片２１ｂは弁体２１ａが容易に搖動し得るように剛性が極めて小さく（弁体２１ａの厚さに対して充分に薄く）なるように形成されている。
【００４４】
そして、開閉弁２１を構成する弁体２１ａが後方側に搖動してケース状部材１０に形成した弁座片１８ｂと接触したとき、小屋裏通気口１４を閉塞して空気の流れを遮断し得るように構成されている。特に、開閉弁２１は、弁体２１ａ、搖動片２１ｂから空気が漏れることがないように、開閉部材２０の長手方向に渡って連続して形成されている。
【００４５】
収容部２２は、当接部２４の水平片２４ｂに於ける開閉弁２１よりも前方に形成されている。この収容部２２は、一対の保持片２２ａ、２２ｂと、これらの保持片２２ａ、２２ｂを連結する連結片２２ｃからなる断面がコ字状に形成されている。また、前方の保持片２２ａには更に前方且つ下方に延長した水返し片２２ｄが形成されている。
【００４６】
収容部２２の保持片２２ａ、２２ｂの間に不燃性体積膨張部材３１が嵌め込まれている。不燃性体積膨張部材３１は、膨張性グラファイト系の防炎、防煙用シール材であって、通過熱風温度が約１８０℃で膨張し始め、十数倍に膨張する性質を有している。そして、不燃性体積膨張材３１としては、例えば、オーストリア  ケミー・リンツ社製の「インツメックス（商品名）」や種々の不燃性体積膨張材が適用可能である。
【００４７】
収容部２２の連結片２２ｃは当接部２４の水平片２４ｂに対して離隔して形成されており、これらの連結片２２ｃと水平片２４ｂとの間に被嵌合部２３が形成されている。この被嵌合部２３はケース状部材１０の嵌合部１６を構成する屈折片１６ａと折返片１６ｃが嵌合される平行部２３ａと、嵌合突部１６ｂが嵌合される嵌合凹部２３ｂと、を有して構成されている。
【００４８】
上記の如く構成されたケース状部材１０と開閉部材２０では、不燃性体積膨張部材３１が開閉部材２０の収容部２２に収容されるため、該不燃性体積膨張部材３１をケース状部材１０に張り付ける部位を形成したり、張り付ける作業を行う必要がない。また、開閉弁２１が開閉部材２０に形成されるため、ケース状部材１０に開閉弁を構成する搖動部材を形成する必要がない。このため、ケース状部材１０の構造が簡単になり、複雑な成形が必要なく製作が容易となる。
【００４９】
また、開閉部材２０が合成樹脂等の押出成型によって構成されるため、高い寸法精度を確保することが可能となり、且つ製作は極めて容易である。このため、開閉弁２１の搖動片２１ｂを精度良く形成して弁体２１ａの確実な搖動を実現することが可能となる。
【００５０】
次に、上記の如く構成されたケース状部材１０と開閉部材２０とを組み合わせて換気部材Ａを構成し、この換気部材Ａを軒先の野地板１に取り付ける手順について説明する。
【００５１】
先ず、開閉部材２０の収容部２２に不燃性体積膨張部材３１を嵌め込んで収容する。この作業は、開放された収容部２２の保持片２２ａ、２２ｂの間に不燃性体積膨張部材３１を差し込むことで行うことが可能であるため、従来の作業（例えば換気部材の内面に不燃性体積膨張部材を張り付ける）と比較して極めて容易である。また、当接部２４の起立片２４ａ、水平片２４ｂに断熱材３０を取り付けておく。
【００５２】
次に、開閉部材２０の被嵌合部２３にケース状部材１０の嵌合部１６を嵌合させることで、両者を組み合わせる。即ち、嵌合部１６の嵌合突部１６ｂを被嵌合部２３の嵌合凹部２３ｂに、嵌合部１６の屈折片１６ａと折返片１６ｃの重ね合わせ部を被嵌合部２３の平行部２３ａに、夫々対応させて差し込むことで一体化させる。そして、ケース状部材１０の長手方向の端部と開閉部材２０の長手方向の端部とを一致させることで、図２に示すような換気部材Ａを構成することが可能である。
【００５３】
上記の如く構成された換気部材Ａの軒先の野地板１に対する取り付けは、ケース状部材１０の野地板当接片１１と開閉部材２０とで野地板１の先端部分を挟み込み、ケース状部材１０と開閉部材２０を固定具９によって野地板１に固定することで行われる。
【００５４】
即ち、建物に於ける予め設定された位置に対応する野地板１に換気部材Ａを配置する。野地板当接片１１を野地板１の上面に当接させると共に、開閉部材２０の当接部２４の起立片２４ａ、水平片２４ｂを野地板１の小口面と下面に当接させることで、各片１１、２４ａ、２４ｂとで構成されるコ字状の部分によって野地板１の先端部分を挟み込む。この状態で、ケース状部材１０の小口当接片１５に形成した下穴１５ａを利用して、起立片２４ａ、断熱材３０を貫通させて固定具９を野地板１の小口面に打ち込むことで、換気部材Ａを軒先の野地板Ａに取り付けることが可能である。
【００５５】
換気部材Ａを軒先の野地板１に取り付けた後、ケース状部材１０の外装材当接片１２と外装材２の上端部分との隙間をコーキング３によって塞ぐことで、換気部材Ａの内部に小屋裏５と外部を連通させる通気路４が形成される。このように、換気部材Ａを軒先の野地板１に取り付けたとき、通気路４は金属製のケース状部材１０によって外部から区画されるため、耐火性に優れた通気路４を構成することが可能である。
【００５６】
特に、通気路４に開閉弁２１が形成されているため、風雨の際に外部側通気口１３ａから風や雨水が浸入した場合、この風によって弁体２１ａが搖動して弁座片１８ｂと接触して通気路４を遮断し、雨水の小屋裏に対する浸入を防ぐことが可能である。従って、防水性を向上させることが可能である。そして、通気路４の内部に浸入した雨水は外装材当接片１２に形成された穴１２ａを通って樋８に排出される。
【００５７】
また、通気路４に不燃性体積膨張部材３１が配置されるため、換気部材Ａの温度が上昇したとき、この不燃性体積膨張部材３１が膨張して通気路４を閉塞させ、これにより、熱気の流通を遮断することが可能である。従って、防火性を向上させることが可能である。
【００５８】
更に、断熱材３０として不燃性断熱材を利用したり、ケース状部材１０と野地板１とを直接当接させることなく隙間を設けることで、火炎や熱気を受けた換気部材Ａの熱伝導による野地板１の炭化を軽減させることが可能である。即ち、外壁が直接広小舞に接する場合には、建物外部と小屋裏空間が接近することになり、建物周囲で発生する火災に対する小屋裏の防火性に不安が生じることがあるが、断熱材３０を設けることで、この不安を払拭することが可能である。
【産業上の利用可能性】
【００５９】
本発明に係る換気部材は、屋根の勾配の如何に関わらず１機種で対応することができるので、野地板を有する全ての屋根の小屋裏の換気をはかる際に利用することが可能である。
【符号の説明】
【００６０】
Ａ                    換気部材
１                    野地板
２                    外装材
３                    コーキング
４                    通気路
５                    小屋裏
６                    水切材
６ａ                  固定片
６ｂ                  遮蔽片
７                    屋根材
８                    樋
９                    固定具
１０                  ケース状部材
１１                  野地板当接片
１２                  外装材当接片
１２ａ                穴
１３                  外部側通気片
１３ａ                外部側通気口
１４                  小屋裏通気口
１５                  小口当接片
１５ａ                下穴
１６                  嵌合部
１６ａ                屈折片
１６ｂ                嵌合突部
１６ｃ                折返片
１７                  連結片
１８ａ                起立片
１８ｂ                弁座片
２０                  開閉部材
２１                  開閉弁
２１ａ                弁体
２１ｂ                搖動片
２２                  収容部
２２ａ、２２ｂ        保持片
２２ｃ                連結片
２２ｄ                水返し片
２３                  被嵌合部
２３ａ                平行部
２３ｂ                嵌合凹部
２４                  当接部
２４ａ                起立片
２４ｂ                水平片
３０                  断熱材
３１                  不燃性体積膨張部材
【図１】
0005990369.tif 000002
【図２】
0005990369.tif 000003
【図３】
0005990369.tif 000004